(57)【特許請求の範囲】
【請求項１】
アウターウェアと、当該アウターウェアより内層に着衣される１着または１着以上の内層ウェアと、当該内層ウェアの下に着衣される１着または２着のベースウェアを有する重ね着用の衣服であって、
前記アウターウェアおよび少なくとも１着の内層ウェアが、閉じた状態で開口しておらず開けた状態で開口形状となる開閉可能な通気部を備え、かつ前記ベースウエアには前記開閉可能な通気部及び開口した状態の通気部を備えておらず、
前記アウターウェアの前記開閉可能な通気部の位置と、前記アウターウェアの下に着衣される少なくとも１着の内層ウェアの前記開閉可能な通気部の位置とが、着衣状態において同じ位置または前記開閉可能な通気部同士の開口が部分的に重なるような近傍位置にある、重ね着用の衣服。
【請求項２】
前記アウターウェアの前記開閉可能な通気部が当該アウターウェアのフロント部に位置し、当該アウターウェアの前記開閉可能な通気部の位置に対応するように、前記内層ウェアの前記開閉可能な通気部が当該内層ウェアのフロント部に位置する、請求項１に記載の重ね着用の衣服。
【請求項３】
すべての前記開閉可能な通気部が、肩から脇にかけての部分を除いた前記フロント部に設けられる、請求項２に記載の重ね着用の衣服。
【請求項４】
前記内層ウェアが１着であり、前記アウターウェアの下に着衣される当該内層ウェアに前記開閉可能な通気部が設けられ、前記内層ウェアの下に着衣される１着または２着のベースウェアには前記開閉可能な通気部及び開口した状態の通気部が設けられていない、請求項１〜３のいずれ１項に記載の重ね着用衣服。
【請求項５】
前記内層ウェアが２着であり、前記アウターウェアの下に着衣される第１内層ウェアに前記開閉可能な通気部が設けられ、前記第１内層ウェアの下に着衣される第２内層ウェアに前記開閉可能な通気部が設けられ、前記第２内層ウェアの下に着衣される１着または２着のベースウェアには前記開閉可能な通気部及び開口した状態の通気部が設けられていない、請求項１〜３のいずれ１項に記載の重ね着用衣服。
【請求項６】
請求項１〜５のいずれか１項に記載の重ね着用の衣服に用いられるためのアウターウェアであって、閉じた状態で開口しておらず開けた状態で開口形状となる開閉可能な通気部を備え、
前記アウターウェアの前記開閉可能な通気部の位置と、前記アウターウェアの下に着衣される少なくとも１着の内層ウェアの閉じた状態で開口しておらず開けた状態で開口形状となる開閉可能な通気部の位置とが、着衣状態において同じ位置または前記開閉可能な通気部同士の開口が部分的に重なるような近傍位置にあるように構成された、アウターウェア。
【請求項７】
請求項１〜５のいずれか１項に記載の重ね着用の衣服に用いられるための内層ウェアであって、閉じた状態で開口しておらず開けた状態で開口形状となる開閉可能な通気部を備え、
前記内層ウェアの上に着衣されるアウターウェアの閉じた状態で開口しておらず開けた状態で開口形状となる開閉可能な通気部の位置と、前記内層ウェアの前記通気部の位置とが、着衣状態において同じ位置または前記開閉可能な通気部同士の開口が部分的に重なるような近傍位置にあるように構成された、内層ウェア。
【請求項８】
閉じた状態で開口しておらず開けた状態で開口形状となる開閉可能な通気部を備えるアウターウェアと、肌に直に触れる、閉じた状態で開口しておらず開けた状態で開口形状となる開閉可能な通気部及び開口した状態の通気部を備えていないベースウエアとの間に着衣される内層ウェアであって、
前記内層ウェアは、閉じた状態で開口しておらず開けた状態で開口形状となる開閉可能な通気部を備え、
前記内層ウェアの前記開閉可能な通気部の位置と、前記アウターウェアの前記開閉可能な通気部の位置とが、着衣状態において同じ位置または前記開閉可能な通気部同士の開口が部分的に重なるような近傍位置にある、内層ウェア。
【請求項９】
前記内層ウェアの前記開閉可能な通気部が当該内層ウェアのフロント部に位置する、請求項８に記載の内層ウェア。
【請求項１０】
前記内層ウェアのすべての前記開閉可能な通気部が、肩から脇にかけての部分を除いた前記フロント部に設けられる、請求項９に記載の内層ウェア。
【発明の詳細な説明】
【技術分野】
【０００１】
本発明は、アウターウェアと、当該アウターウェアより内層に着衣される１着または１着以上の内層ウェアとを有する重ね着用の衣服、当該重ね着用の衣服に用いられるアウターウェアおよび内層ウェアに関する。より詳細には、例えば、ハイキング、登山、ジョギング等の運動時におけるベンチレーション機能を向上させることができる重ね着用の衣服、当該重ね着用の衣服に用いられるアウターウェアおよび内層ウェアに関する。
【背景技術】
【０００２】
従来から、脇下から側腹部分にかけて、または胸部分に、開閉自在の通気部を備えたアウターウェアが知られている。この通気部は、アウターウェアを着衣している者の温度調整や湿度調整のためのベンチレーションとして機能している。
【０００３】
また、後身頃の襟みつ近傍に通気孔が形成さられたベンチレーション機能付き衣服が知られている（例えば、特許文献１）。この特許文献１では、ジャンパーやブルゾン、コート、ウインドブレカー等のいわゆる、アウターウェア内部における蒸れを改善するために、このアウターウェアの後身頃の襟みつ近傍に通気孔を形成しているものである。
【先行技術文献】
【特許文献】
【０００４】
【特許文献１】特開２００５−１６３２２７号公報
【発明の概要】
【発明が解決しようとする課題】
【０００５】
しかしながら、従来のように、アウターウェアの通気部の開閉で、急激な体温変化や衣服内部の湿度変化を素早く改善することが困難な場合もあった。例えば、ハイキングや登山等では、山の環境変化に対応可能なように、複数種類の服を重ね着している。例えば、肌側のベースウェア、中間着のミドルウェア、アウターウェア等を重ね着しているのが通常である。このように重ね着している場合に、高くなった体温を下降させたり、汗を乾燥させたい時に、従来のようにアウターウェアの通気部のみでは、迅速に体温下降や汗の乾燥を行えず、結果的に、体力を消耗させてしまうことになるという不具合も生じていた。
【０００６】
また、アウターウェアの通気部の開閉で上記温度や上記湿度の改善が困難であれば、通常はアウターウェアを脱ぐことで対処していた。しかし、アウターウェアを脱ぐという対処方法の場合、脱ぐという動作一つをとっても手間なことである。さらにいえば、ハイキングや登山等でアウターウェアを脱ぐためには、歩くのを停止しザック等を置くための動作と、アウターウェアを脱ぐ動作と、脱いだアウターウェアをザック等に入れる動作、ザック等を再び担ぐ動作等とが必要であり、時間も手間も必要で大変無駄なものだった。さらに、崖や岩場の危険なルートでは、脱ぐ動作自体が危ないために、アウターウェアを脱ぐことができない。また、悪天候時には、アウターウェアを脱ぐこと自体ができないこともある。また、岩登りでは、ハーネスを着用しているため、アウターウェアを脱ぎ難い。
【０００７】
また、ジョギング等の運動時でもアウターウェアを脱ぐという動作は、ジョギング等の運動を停止して行われるため無駄な動作であった。
【０００８】
本発明は、上記問題に鑑みてなされたものであって、従来よりもベンチレーション機能を高めた重ね着用の衣服、当該重ね着用の衣服に用いられるアウターウェアおよび内層ウェアを提供することを目的とする。
【課題を解決するための手段】
【０００９】
上記課題を解決するための本発明は、アウターウェアと、当該アウターウェアより内層に着衣される１着または１着以上の内層ウェアとを有する重ね着用の衣服であって、前記アウターウェアおよび少なくとも１着の内層ウェアが、開閉可能な通気部を備える。
【００１０】
この構成によれば、アウターウェアと内層ウェアとに開閉可能な通気部が備えられており、それら通気部を開かせることで、体温を素早く下降（冷却）させることができ、また、素早く汗を乾燥させることができる（衣服内部の相対湿度を下降させることができる）。よって、従来のアウターウェアにのみ通気部が備わっていたものよりも、飛躍的にベンチレーション機能の効果を高めた重ね着用の衣類を提供することができる。
【００１１】
また、上記発明の一実施形態として、通気部を備えるアウターウェアと通気部を備える内層ウェアとが連続に着衣（重ね着）されることが好ましい。また、上記発明の一実施形態として、通気部を備えるアウターウェアと通気部を備える内層ウェアとの間に、通気性有する生地のウェアが着衣される構成もできる。
【００１２】
上記発明において、前記アウターウェアの前記通気部の位置と、前記前記アウターウェアの下に着衣される少なくとも１着の内層ウェアの前記通気部の位置とが、着衣状態において同じ位置または近傍位置にあることが好ましい。「近傍位置にある」は、実質的に同じ位置であることを含み、ベンチレーション機能を発揮できるような位置関係であって、通気部同士の相対的位置関係が、部分的に重なっているだけでもよい。また、それぞれの通気部が、同じ形状、同じサイズである必要はない。また、それぞれの通気部を開口した状態の開口形状、開口サイズのそれぞれが同じである必要はない。また、着衣状態において、それぞれの通気部の開口部分が同じ位置、近傍位置、それぞれの開口部分の重なり具合が大きくなるような位置等に設定してある方が、開閉のし易さ、温度調整、湿度調整のし易さの観点から好ましい。また、着衣状態で通気部同士が平行になるように設定してある方が、開閉動作がし易く、それらを開いた際には開口部分同士が重なるためベンチレーション機能が高いものとなる。また、通気部同士は、平行以外にクロス状に重なるように設定されていてもよい。
【００１３】
また、上記発明において、前記アウターウェアの前記通気部が当該アウターウェアのフロント部に位置し、当該アウターウェアの通気部の位置に対応するように、前記内層ウェアの前記通気部が当該内層ウェアのフロント部に位置することが好ましい。
【００１４】
この構成によれば、それぞれの通気部をフロント部に設けていることで、前からの空気流や風を受けやすく、より素早く体温の降下や汗の乾燥を行える。フロント部に少なくとも一つの通気部を設け、さらにウェア側部に通気部を設けてもよく、フロント部から側部に伸びるように通気部を設けることもできる。
【００１５】
また、それぞれの通気部をフロント部に設ける場合に、肩から脇にかけての部分を除いたフロント部に通気部を設けることがより好ましい。肩から脇にかけての部分、腰周囲およびバック部にザックやリュック等を背負っている場合には、この部分に通気部を設けてもベンチレーションの効果が低いと推察されるからである。
【００１６】
また、上記発明の一実施形態において、前記内層ウェアが１着であり、前記アウターウェアの下に着衣される当該内層ウェアに前記通気部が設けられ、前記内層ウェアの下に着衣される１着または２着のベースウェアには前記通気部が設けられていない。肌から発生した汗を１着または２着のベースウェアで吸い上げ、アウターウェアおよび内層ウェアの通気部によってベースウェアの水分を素早く乾燥させることができる。
【００１７】
また、上記発明の一実施形態において、前記内層ウェアが２着であり、前記アウターウェアの下に着衣される第１内層ウェアに前記通気部が設けられ、前記第１内層ウェアの下に着衣される第２内層ウェアに前記通気部が設けられ、前記第２内層ウェアの下に着衣される１着または２着のベースウェアには前記通気部が設けられていない。肌から発生した汗を１着または２着のベースウェアおよび第２内層ウェアで吸い上げ、アウターウェアおよび第１、第２内層ウェアの通気部によってベースウェアおよび第２内層ウェアの水分を素早く乾燥させることができる。２着のベースウェアとしては、例えば、肌面に直接触れる第１ベースウェアを撥水性生地で構成し、この上に着衣される第２ベースウェアと第２内層ウェアとを保温性、吸汗拡散性、調湿性等の生地で構成することができる。１着のベースウェアとしては、例えば、肌面に直接触れる生地側を撥水性層とし、内層ウェア側を吸汗拡散性層とした生地で構成することができる。
【００１８】
また、他の本発明は、上記の重ね着用の衣服に用いられる、開閉可能な通気部を備えるアウターウェアである。
【００１９】
また、他の本発明は、上記の重ね着用の衣服に用いられる、開閉可能な通気部を備える内層ウェアである。
【００２０】
また、他の本発明は、開閉可能な通気部を備えるアウターウェアと肌との間に着衣される内層ウェアであって、
前記内層ウェアは、開閉可能な通気部を備える。
【００２１】
この構成によれば、内層ウェアおよびアウターウェアに通気部が備えられていることで、体温を素早く下降（冷却）させることができ、また、素早く汗を乾燥させることができる（衣服内部の相対湿度を下降させることができる）。よって、従来のアウターウェアにのみ通気部が備わっていたものよりも、飛躍的にベンチレーション機能の効果を高めることができる。
【００２２】
また、上記発明において、前記内層ウェアの前記通気部の位置と、前記アウターウェアの前記通気部の位置とが、着衣状態において同じ位置または近傍位置にあることが好ましい。また、前記アウターウェアの通気部を開口させて、前記内層ウェアの通気部の開閉が可能なように、当該内層ウェアの通気部の位置を設定することが好ましい。この構成によれば、着衣者がアウターウェアの通気部を開口させて、当該開口に手を入れて、内層ウェアの通気部を開口させることができるため、内層ウェアの通気部の開閉動作を、アウターウェアを脱衣することなく簡単に素早く行える。
【図面の簡単な説明】
【００２３】
【図１】通気部の形状および位置の例を示す図である。
【図２】通気部の形状および位置の例を示す図である。
【図３】通気部の形状および位置の例を示す図である。
【図４】通気部の形状および位置の例を示す図である。
【図５】通気部の形状および位置の例を示す図である。
【図６】通気部の形状および位置の例を示す図である。
【図７】通気部の形状および位置の例を示す図である。
【図８】通気部の開口状態の例を示す図である。
【図９】通気部の開口状態の例を示す図である。
【図１０】通気部の開口状態の例を示す図である。
【図１１】通気部の開口状態の例を示す図である。
【図１２】通気部の開口状態の例を示す図である。
【図１３】通気部の開口状態の例を示す図である。
【図１４】重ね着した状態の例を示す図である。
【図１５】重ね着した状態の例を示す図である。
【発明を実施するための形態】
【００２４】
（アウターウェアおよび内層ウェア）
アウターウェアは、その機能が特に制限されるものではないが、例えば、防寒性、防風性、防水性、耐雨性等を有していることが好ましい。また、内層ウェアは、肌側のベースウェアとアウターウェアとの間に着衣されるミドルウェアで構成される。ベースウェアおよびミドルウェアは、その機能から複数種の機能性を有するウェアで構成されていてもよく、必要に応じて複数のウェアを着衣して構成されていてもよい。ベースウェアの機能としては、例えば、撥水性、保温性、吸汗拡散性、調湿性等が挙げられ、ベースウェアとして、例えば、撥水性を有する第１ベースウェアと、保温性、吸汗拡散性および調湿性を備える第２ベースウェア等を重ね着あるいは単独で着衣することができる。また、ミドルウェアの機能としては、例えば、保温性、吸汗拡散性、防風性、透湿性、防水性等が挙げられ、ミドルウェアとして、例えば、保温性および吸汗拡散性を有する第１ミドルウェアと、防風性、保温性および防水透湿性を有する第２ミドルウェア等を重ね着または単独で着衣することができる。なお、ベースウェアおよびミドルウェアは、上記の機能を有するものに制限されず、使用目的に応じて機能を省略、別機能を追加可能である。
【００２５】
また、アウターウェアおよび内層ウェアは、上半身用の衣服に限定されず、下半身用の衣服、例えば、タイツ、ズボン、あるいは全身用の衣服でもよい。下半身用の場合、例えば、アウターウェアとして防寒性、防風性、防水性等を有するズボンや、内層ウェアとして、例えば、タイツ、レギンス、ハーフパンツ等が挙げられる。  
【００２６】
また、衣服を構成するアウターウェア、内層ウェア（ミドルウェア）、ベースウェアの糸材料、縫製方法は特に制限されず、また、各種加工処理（例えば、撥水加工、ＵＶカット加工等）も適宜施されていてもよい。
【００２７】
（通気部）
通気部は、アウターウェアおよび内層ウェアのベンチレーション機能を発揮するために設けられる。通気部を設ける位置は、特に制限されず、上半身用の衣服の場合、例えば、フロント部（前面あるいは前身頃）、バック部（背面あるいは後身頃）、サイド部（側腹部や脇部）、上腕部等が挙げられる。好ましい実施形態として、前方からの空気流や風を受けやすく、より素早く体温の降下や汗の乾燥を行える観点から、アウターウェアの通気部が当該アウターウェアのフロント部に位置し、当該アウターウェアの通気部の位置に対応するように、内層ウェアの通気部が当該内層ウェアのフロント部に位置することが好ましい。また、下半身用の衣服の場合、例えば、大腿部や下腿部のフロント部（前面）、サイド部（側面）、バック部（後面）が挙げられる。
【００２８】
また、それぞれの通気部をフロント部に設ける場合に、肩から脇にかけての部分を除いたフロント部に通気部を設けることがより好ましい。肩から脇にかけての部分にザックやリュック等を背負っている場合には、この部分に通気部を設けても開口面積が小さくなってベンチレーションの効果が低くなり、通気部の開閉動作もし難いからである。  
【００２９】
通気部の形状は、特に限定されず、例えば、直線、曲線、多角形、円、楕円、異形等でもよい。また、通気部が開口した状態の開口形状は、特に制限されず、楕円、円、多角形、異形等でもよい。ウェアごとの通気部の数は、一つか２つが好ましいが、それ以上でもよく、複数種類の形状の通気部を組み合わせてもよい。重ね着される通気部同士の形状は同じでもよく、異なる形状でもよい。
【００３０】
図１〜７に通気部の位置の例を示す。図１は、フロント部の胸部下から脇腹に向かって伸びるハの字状通気部１１、１２である。図２は、胸部の逆さＬ字状通気部１３である。図３は、胸部の上円弧状通気部１４である。図４は、側面の線状通気部１５である。図５は、上腕下部の線状通気部１６である。図６は、上腕下部から脇を通って側面に伸びる線状通気部１７である。図７は、胸部の線状通気部１８と側面の線状通気部１９である。なお、通気部の形状および位置は、図１〜７の形状、サイズおよび位置に限定されない。
【００３１】
図８〜１３に、図１〜７の通気部の開口状態の例を示す。図８〜１０は、ハの字状通気部１１、１２の開口状態１１１、１２１の一例を示し、図８は正面図、図９および図１０は側面図である。図１０は、中央部を留めた状態にして二つの開口部を形成している状態である。図１１は、胸部の逆さＬ字状通気部１３の開口状態１３１の一例である。図１２は、上円弧状通気部１４の開口状態１４１の一例を示す。図１３は、側面の線状通気部１５の全開の開口状態１５１の一例を示す。なお、通気部の開口状態は、図８〜１３の開口状態に限定されない。
【００３２】
また、アウターウェアと内層ウェアの通気部同士、複数の内層ウェアの通気部同士が異なる形状の通気部の組み合わせであってもよい。例えば、アウターウェアの通気部としてハの字状通気部を採用し、ミドルウェアの通気部として、アウターウェアのハの字状通気部よりもサイズが小さいハの字状通気部を採用してもよく、胸部の線状通気部や側面の線状通気部を採用してもよい。アウターウェアのハの字状通気部と、ミドルウェアの胸部の線状通気部および側面の線状通気部とは、近傍位置に設定され、あるいはアウターウェアとミドルウェアの通気部の開口部分同士が重なるように設定されることが好ましい。
【００３３】
通気部を開閉可能にするために、開閉自在の留め具を用いることが好ましい。このような留め具としては、例えば、通常のボタン、点ファスナー（例えば、スナップボタン）、線ファスナー（例えば、ジッパー、チャック）または面ファスナー（例えば、「マジックテープ(登録商標)」）が挙げられ、これらを単独でまたは２種類以上を適宜組み合わせて用いることもできる。通気部の開きは、全て開くことに限定されず、部分的に開いたり、留め具で一部分を閉じている状態でもよい。また、通気部の開閉部分を、ウェア生地の摩擦性または形状加工を利用して開閉自在に構成でき、例えば、開閉部分の生地同士が重なるようにして留める構成や、一方の生地にベロを設け他方の生地にスリットを設け、ベロをスリットに挿入して折り返えして留める構成等が挙げられる。
【００３４】
また、通気部は、メッシュ状または通気性を有する袋体（ポケット）または生地が、裏地または裏当てとして着脱自在に設けられていてもよく、縫い付け等で固定されていてもよい。通気部を開いた状態で、当該袋体または生地を通じてベンチレーション機能を発揮する。また、通気部がポケット機能を兼用していてもよい。
【００３５】
また、着衣状態において、アウターウェアの通気部の位置と、少なくとも１着の内層ウェアの通気部の位置とが同じ位置または近傍位置にあることが好ましい。それぞれの通気部の位置が同じ位置または近傍位置に位置していれば、それぞれの通気部を開口した状態でのベンチレーション機能を効果的に発揮できる。それぞれの通気部の位置関係に関係なく、それぞれの通気部の形状、サイズ等が同じである必要はなく、通気部を開口した状態の形状、サイズ等も同じである必要はない。着衣者が望む着衣状態の湿度、温度環境を維持、あるいは素早く改善できるように、それぞれの通気部の開口状態を選択できるように開閉可能に構成することが好ましい。
【００３６】
図１４、１５は、最上部にアウターウェア１、中間部にミドルウェア２、肌と直接接する部分にベースウェア３を重ね着する一例を示す。図１４に示すように、アウターウェア１には、ハの字状通気部１２（図１４ではハの字の一方のみを示す）が設けられ、ミドルウェア２にも同様に、ハの字状通気部２２（図１４ではハの字の一方のみを示す）が設けられている。それぞれの通気部の留め具は線ファスナー（チャック）である。図１５は、上記３種類を重ね着した状態で、アウターウェア１の通気部１２を開口させた状態と、ミドルウェア２の通気部２２を開口させた状態を示す。
【００３７】
また、アウターウェアの通気部の直ぐ下に通気部を備えた内層ウェアが着衣されることがベンチレーション機能向上の観点から好ましい。また、通気部は、防水性、防風性、低透湿性または低通気性の生地を有するウェアに設けられることが好ましい。また、通気部を備えたアウターウェアと通気部を備えた内層ウェアとの間に、透湿性および／または通気性を有するウェア（内層ウェア）を着衣させることもできる。また、肌に直に触れるベースウェアには開閉可能な通気部を備えさせず、透湿性および／または通気性の生地でベースウェアを構成しておくこともできる。
【００３８】
また、着衣状態において、アウターウェアの通気部を開口させて、内層ウェアの通気部の開閉が可能なように、当該内層ウェアの通気部の位置を設定することが好ましい。すなわち、着衣者がアウターウェアの通気部を開口させて、当該開口に手を入れ、内層ウェアの通気部を開口させることができ、内層ウェアの通気部の開閉動作を、アウターウェアの脱衣動作をすることなく簡単に素早く行える。
【００３９】
（実施例）
２種類のベースウェアと２種類のミドルウェアとアウターウェアの合計５種類のウェアを重ね着し、２種類のミドルウェアおよびアウターウェアの通気部をすべて全開にした条件（実施例１）と、アウターウェアの通気部のみを全開にした条件（比較例１）と、通気部を全閉にした条件（比較例２）とのそれぞれにおけるベンチレーション機能として温度および湿度の両方で評価した。
【００４０】
ベースウェアとして、肌側に撥水加工された第１ベースウェア（株式会社ｆｉｎｅｔｒａｃｋ「ドライレイヤー（ＤＲＹ  ＬＡＹＥＲ（登録商標））」：ポリエステル１００％）をサーマルマネキンに着衣し、この第１ベースウェアの上に、吸汗拡散性、保温性、調湿性の第２ベースウェア（株式会社ｆｉｎｅｔｒａｃｋ「ベースレイヤー」：ウール１７％、ポリエステル８３％）を重ね着した。ミドルウェアとして、吸汗拡散性、保温性の第１ミドルウェア（株式会社ｆｉｎｅｔｒａｃｋ「ミドルレイヤー」：ポリエステル１００％）を上記ベースウェアの上に重ね着し、その上に、防風性、保温性、透湿性の第２ミドルウェア（株式会社ｆｉｎｅｔｒａｃｋ「ミッドシェル（ｍｉｄ  ｓｈｅｌｌ（登録商標））」：表地：ポリエステル１００％、裏地：ポリエステル１００％生地に防水透湿性フィルムをラミネート）を重ね着した。さらに、アウターウェアとして、防寒性、防風性、防水性のウェア（株式会社ｆｉｎｅｔｒａｃｋ「アウターシェル」：表地：ナイロン１００％、裏地：ポリエステル１００％生地に防水透湿性フィルムをラミネート）をミドルウェアの上に重ね着した。それぞれの通気部は、図１に示すように、胸下から側腹に向かうハの字状通気部であり、留め具にチャックを用い、それぞれの開口サイズは同じになるように設定した。
【００４１】
（測定条件）
サーマルマネキンの表面温度を３６℃に設定し、そのマネキンの周囲の環境温度を１０℃にし、マネキンのフロント部に向かう風の風速を２ｍ／ｓｅｃとした。第２ベースウェアの水分率を１００％に調整した（ウェア全体で吸収できる最大の水分量を示している）。
【００４２】
（湿度（ムレ）の軽減効果の比較）
第１ベースウェアと第２ベースウェアの間に湿度計をおき、測定値がほぼ定常となったタイミング（約１５分後）で湿度を測定した。すべての通気部を全開にした実施例１は、６３．０％ＲＨ、アウターウェアの通気部のみ全開にした比較例１は、７７．０％ＲＨ、通気部を全て閉じていた比較例２は、８８．３％ＲＨであった。実施例１の湿度は、比較例１のそれより１４％も湿度が低下しており、このことから、実施例１は、比較例１よりもムレを素早く解消して快適な衣服内部環境を実現したことを確認できた。
【００４３】
（温度の低下効果の比較）
第２ベースウェアと第１ミドルウェアの間に温度計をおき、測定値がほぼ定常となったタイミング（約１５分後）で温度を測定した。すべての通気部を全開にした実施例１は、１９．１℃、アウターウェアの通気部のみ全開にした比較例１は、２３．７℃、通気部を全て閉じていた比較例２は、２７．０℃であった。実施例１の温度は、比較例１のそれより４．６℃も温度が低下しており、このことから、実施例１は、比較例１よりも、暑さを感じる温度から運動時に快適と感じる温度まで素早く低下できたことを確認できた。
【符号の説明】
【００４４】
１              アウターウェア
２              ミドルウェア
３              ベースウェア
１１、１２      ハの字状通気部
１１１、１２１  ハの字状通気部の開口状態
【図１】
0005181142.tif 000002
【図２】
0005181142.tif 000003
【図３】
0005181142.tif 000004
【図４】
0005181142.tif 000005
【図５】
0005181142.tif 000006
【図６】
0005181142.tif 000007
【図７】
0005181142.tif 000008
【図８】
0005181142.tif 000009
【図９】
0005181142.tif 000010
【図１０】
0005181142.tif 000011
【図１１】
0005181142.tif 000012
【図１２】
0005181142.tif 000013
【図１３】
0005181142.tif 000014
【図１４】
0005181142.tif 000015
【図１５】
0005181142.tif 000016